(57)【要約】      （修正有）【課題】出店業者や物流業者にとっても負担の少ない通信販売支援システム及び通信販売支援プログラムを提供する。【解決手段】販売支援システム２において、通信販売支援装置（管理サーバ４０）は、商品Ｐの各情報の登録を受け付ける登録受付部と、商品Ｐの各情報に付与するための商品識別子を生成する商品識別子生成部と、商品識別子が関連付けられた状態で商品Ｐの各情報をＤＢサーバ５０に記憶する商品登録部と、広告サーバ３０に対し商品の広告を依頼する広告依頼部と、消費者の情報端末２０から発信された商品Ｐの購入希望情報を受け付ける購入受付部と、購入希望情報に基づいて商品Ｐの決済を行う決済部と、購入希望情報に基づいて商品Ｐの出荷指示情報を生成する出荷指示情報生成部と、出荷指示情報を発信する出荷指示部と、して機能する。【選択図】図１
2020135890.tif 000002
【特許請求の範囲】
【請求項１】
購入希望者の情報端末を用いて購入希望の商品の識別子を受け付ける識別子受付ステップと、
前記購入希望者の情報端末が、前記商品の識別子に基づき、前記商品を取り扱う管理サーバにアクセスするアクセスステップと、
前記購入希望者の情報端末から前記管理サーバに対し、前記購入希望者の決済情報及び前記購入希望者の希望送付先情報を同時に又は個別に出力する購入希望情報出力ステップと、
前記購入希望者の情報端末から前記管理サーバに対し、前記商品の購入の認証を行う購入認証ステップと、
前記購入希望者の情報端末から前記管理サーバに対し、決済サーバに対する前記商品の決済代行の認証を行う決済代行認証ステップと、
前記購入希望者の情報端末から前記管理サーバに対し、前記商品の配送の認証を行う配送認証ステップと、
前記購入認証ステップ、前記決済ステップ及び前記配送認証ステップが完了した後に行われ、前記管理サーバは、前記購入希望者の希望送付先情報に基づく宛先へ前記商品の出荷を出力する出荷指示ステップと、を備え、
前記購入希望者の情報端末における操作を契機に、前記購入認証ステップ、前記決済代行認証ステップ及び前記配送認証ステップの認証が行われることを特徴とする販売支援システム。
【請求項２】
前記販売サーバから前記決済サーバに対し、前記決済代行の認証に基づき、前記商品の決済を行う決済ステップを備えたことを特徴とする請求項１記載の販売支援システム。
【請求項３】
前記購入希望者の決済情報及び前記購入希望者の希望送付先情報は、前記購入希望者の情報端末に記憶されたことを特徴とする請求項１または２記載の販売支援システム。
【請求項４】
前記管理サーバが前記購入希望者の決済情報及び前記購入希望者の希望送付先情報を記憶装置に記憶した場合には、前記管理サーバは、前記記憶装置に記憶された前記購入希望者の決済情報及び前記購入希望者の希望送付先情報を削除する削除ステップを備えたことを特徴とする請求項１ないし３のうちいずれか１項記載の販売支援システム。
【請求項５】
前記購入希望情報出力ステップ、前記購入認証ステップ、前記決済代行認証ステップ及び前記配送認証ステップが同時に行われることを特徴とする請求項１ないし４のうちいずれか１項記載の販売支援システム。
【請求項６】
前記購入希望情報出力ステップの前に行われ、前記管理サーバから受け取った前記商品に関する情報と、前記購入希望者の情報端末が保有する前記購入希望者の決済情報及び前記購入希望者の希望送付先情報とを、前記購入希望者の情報端末の画面に表示する画面表示ステップを備えることを特徴とする請求項１ないし５のうちいずれか１項記載の販売支援システム。
【請求項７】
購入希望者の情報端末を用いて購入希望の商品の識別子を受け付ける識別子受付ステップと、
前記購入希望者の情報端末が、前記商品の識別子に基づき、前記商品を取り扱う管理サーバにアクセスするアクセスステップと、
前記購入希望者の情報端末から前記管理サーバに対し、前記購入希望者の決済情報及び前記購入希望者の希望送付先情報を同時に又は個別に出力する購入希望情報出力ステップと、
前記購入希望者の情報端末から前記管理サーバに対し、前記商品の購入の認証を行う購入認証ステップと、
前記購入希望者の情報端末から前記管理サーバに対し、決済サーバに対する前記商品の決済代行を認証する決済代行認証ステップと、
前記購入希望者の情報端末から前記管理サーバに対し、前記商品の配送の認証を行う配送認証ステップと、
前記購入認証ステップ、前記決済ステップ及び前記配送認証ステップが完了した後に行われ、前記管理サーバは、外部の端末に対し、前記購入希望者の希望送付先情報に基づく宛先へ前記商品の出荷を出力する出荷指示ステップと、
を備え、
前記購入希望者の情報端末における操作を契機に、前記購入認証ステップ、前記決済代行認証ステップ及び前記配送認証ステップが行われることを特徴とする販売支援プログラム。
【請求項８】
商品保有者の商品情報に対し商品の識別子を関連付けて記憶する商品登録ステップと、
前記商品の識別子を前記商品保有者に対し出力する商品識別子出力ステップと、
購入希望者の情報端末から出力された前記商品の識別子を受け付けるステップと、
前記購入希望者の情報端末からの要求を契機に、前記購入希望者の決済情報及び前記購入希望者の希望送付先情報を同時に又は個別に出力する購入希望情報出力ステップと、
前記購入希望者の情報端末からの要求を契機に、前記商品の購入の認証を行う購入認証ステップと、
前記購入希望者の情報端末からの要求を契機に、決済サーバに対する前記商品の決済代行を認証する決済代行認証ステップと、
前記購入希望者の情報端末からの要求を契機に、前記商品の配送の認証を行う配送認証ステップと、
前記購入認証ステップ、前記決済ステップ及び前記配送認証ステップが完了した後に行われ、前記管理サーバは、外部の端末に対し、前記購入希望者の希望送付先情報に基づく宛先へ前記商品の出荷を出力する出荷指示ステップと、を備え、
前記購入希望者の情報端末における操作を契機に、前記購入認証ステップ、前記決済代行認証ステップ及び前記配送認証ステップが行われることを特徴とする販売支援プログラム。
【請求項９】
前記販売サーバから前記決済サーバに対し、前記決済代行の認証に基づき、前記商品の決済の要求を行うステップと、備えたことを特徴とする請求項８記載の販売支援プログラム。
【請求項１０】
前記管理サーバが前記購入希望者の決済情報及び前記購入希望者の希望送付先情報を記憶装置に記憶した場合には、前記管理サーバは、前記記憶装置に記憶された前記購入希望者の決済情報及び前記購入希望者の希望送付先情報を削除する削除ステップを備えたことを特徴とする請求項８または９７記載の販売支援プログラム。
【請求項１１】
商品保有者の商品情報に対し商品の識別子を関連付けて記憶する商品登録部と、
前記商品の識別子を前記商品保有者に対し出力する商品識別子出力部と、
購入希望者の情報端末から出力された前記商品の識別子を受け付ける識別子受付部と、
前記購入希望者の情報端末からの要求を契機に、前記購入希望者の決済情報及び前記購入希望者の希望送付先情報を同時に又は個別に出力する購入希望情報出力部と、
前記購入希望者の情報端末からの要求を契機に、前記商品の購入の認証を行う購入認証部と、
前記購入希望者の情報端末からの要求を契機に、決済サーバに対する前記商品の決済代行を認証する決済代行認証部と、
前記購入希望者の情報端末からの要求を契機に、前記商品の配送の認証を行う配送認証部と、
前記購入認証ステップ、前記決済ステップ及び前記配送認証ステップが完了した後に行われ、前記管理サーバは、外部の端末に対し、前記購入希望者の希望送付先情報に基づく宛先へ前記商品の出荷を出力する出荷指示部と、を備え、
前記購入希望者の情報端末における操作を契機に、前記購入認証、前記決済代行認証及び前記配送認証が行われることを特徴とする販売支援装置。
【請求項１２】
前記販売サーバから前記決済サーバに対し、前記決済代行の認証に基づき、前記商品の決済の要求を行うステップを備えたことを特徴とする請求項１１記載の販売支援装置。
【請求項１３】
前記管理サーバが前記購入希望者の決済情報及び前記購入希望者の希望送付先情報を記憶装置に記憶した場合には、前記管理サーバは、前記記憶装置に記憶された前記購入希望者の決済情報及び前記購入希望者の希望送付先情報を削除することを特徴とする請求項１１または１２記載の販売支援装置。
【発明の詳細な説明】
【技術分野】
【０００１】
本発明は、販売支援システム、販売支援装置及び販売支援プログラムに関する。
【背景技術】
【０００２】
インターネットを経由して、所定の商品を購入できるネットショッピングは、消費者の欲しい商品の検索の手間、決済までの手続きの手間、及び商品の受け取りの手間等、ショッピングに関する様々な手続きを簡便にすることができる。このような特性を持つネットショッピング事業は、スマートフォンの普及とともに成長してきた（例えば、特許文献１）。
【先行技術文献】
【特許文献】
【０００３】
【特許文献１】特表2016-535376号公報
【発明の概要】
【発明が解決しようとする課題】
【０００４】
このようなネットショッピング事業において、プラットフォーマは、自己が運営する共通の販売サイトに対し多数の出店業者を募り、出店業者は、自己の商品をプラットフォーマが管理する倉庫に保管し、受注を受けた際は、その倉庫から出庫する形態となっている。
【０００５】
ところが、このような形態では次のような問題がある。
【０００６】
出店業者は、プラットフォーマが指定する倉庫に自己の商品を提供しなければならない。したがって、プラットフォーマが指定する倉庫が複数ある場合には、当該倉庫にそれぞれ在庫を確保する必要があった。このような在庫の用意は、出店業者側にとって大きな負担となっていた。特に、製造数の少ない商品においては、プラットフォーマ側が要請する供給するに答えることができない結果、市場に届かないケースも少なくない。また、プラットフォーマが指定する倉庫に対して在庫を配置するためには、当該商品の注文の有無にかかわらず、出店業者の倉庫から、プラットフォーマが指定する倉庫までの運送が必要となる。このため、物流業者にとっても大きな負担となっていた。
【０００７】
本発明は、斯かる実情に鑑み、出店業者や物流業者にとっても負担の少ない販売支援システム、販売支援装置及び販売支援プログラムを提供しようとするものである。
【課題を解決するための手段】
【０００８】
本発明の販売支援システムは、購入希望者の情報端末を用いて購入希望の商品の識別子を受け付ける識別子受付ステップと、前記購入希望者の情報端末が、前記商品の識別子に基づき、前記商品を取り扱う管理サーバにアクセスするアクセスステップと、前記購入希望者の情報端末から前記管理サーバに対し、前記購入希望者の決済情報及び前記購入希望者の希望送付先情報を同時に又は個別に出力する購入希望情報出力ステップと、前記購入希望者の情報端末から前記管理サーバに対し、前記商品の購入の認証を行う購入認証ステップと、前記購入希望者の情報端末から前記管理サーバに対し、決済サーバに対する前記商品の決済代行を認証する決済代行認証ステップと、前記購入希望者の情報端末から前記管理サーバに対し、前記商品の配送の認証を行う配送認証ステップと、前記購入認証ステップ、前記決済ステップ及び前記配送認証ステップが完了した後に行われ、前記管理サーバは、前記購入希望者の希望送付先情報に基づく宛先へ前記商品の出荷を出力する出荷指示ステップと、を備え、前記購入希望者の情報端末における操作を契機に、前記購入認証ステップ、前記決済代行認証ステップ及び前記配送認証ステップが行われることを特徴とする。
【０００９】
本発明の販売支援プログラムは、購入希望者の情報端末を用いて購入希望の商品の識別子を受け付ける識別子受付ステップと、前記購入希望者の情報端末が、前記商品の識別子に基づき、前記商品を取り扱う管理サーバにアクセスするアクセスステップと、前記購入希望者の情報端末から前記管理サーバに対し、前記購入希望者の決済情報及び前記購入希望者の希望送付先情報を同時に又は個別に出力する購入希望情報出力ステップと、前記購入希望者の情報端末から前記管理サーバに対し、前記商品の購入の認証を行う購入認証ステップと、前記購入希望者の情報端末から前記管理サーバに対し、決済サーバに対する前記商品の決済代行を認証する決済代行認証ステップと、前記購入希望者の情報端末から前記管理サーバに対し、前記商品の配送の認証を行う配送認証ステップと、前記購入認証ステップ、前記決済ステップ及び前記配送認証ステップが完了した後に行われ、前記管理サーバは、外部の端末に対し、前記購入希望者の希望送付先情報に基づく宛先へ前記商品の出荷を出力する出荷指示ステップと、を備え、前記購入希望者の情報端末における操作を契機に、前記購入認証ステップ、前記決済代行認証ステップ及び前記配送認証ステップが行われることを特徴とする。
【００１０】
本発明の販売支援プログラムは、商品保有者の商品情報に対し商品の識別子を関連付けて記憶する商品登録ステップと、前記商品の識別子を前記商品保有者に対し出力する商品識別子出力ステップと、購入希望者の情報端末から出力された前記商品の識別子を受け付けるステップと、前記購入希望者の情報端末からの要求を契機に、前記購入希望者の決済情報及び前記購入希望者の希望送付先情報を同時に又は個別に出力する購入希望情報出力ステップと、前記購入希望者の情報端末からの要求を契機に、前記商品の購入の認証を行う購入認証ステップと、前記購入希望者の情報端末からの要求を契機に、決済サーバに対する前記商品の決済代行を認証する決済代行認証ステップと、前記購入希望者の情報端末からの要求を契機に、前記商品の配送の認証を行う配送認証ステップと、前記購入認証ステップ、前記決済ステップ及び前記配送認証ステップが完了した後に行われ、前記管理サーバは、外部の端末に対し、前記購入希望者の希望送付先情報に基づく宛先へ前記商品の出荷を出力する出荷指示ステップと、を備え、前記購入希望者の情報端末における操作を契機に、前記購入認証ステップ、前記決済代行認証ステップ及び前記配送認証ステップが行われることを特徴とする。
【００１１】
本発明の販売支援装置は、商品保有者の商品情報に対し商品の識別子を関連付けて記憶する商品登録部と、前記商品の識別子を前記商品保有者に対し出力する商品識別子出力部と、購入希望者の情報端末から出力された前記商品の識別子を受け付ける識別子受付部と、前記購入希望者の情報端末からの要求を契機に、前記購入希望者の決済情報及び前記購入希望者の希望送付先情報を同時に又は個別に出力する購入希望情報出力部と、前記購入希望者の情報端末からの要求を契機に、前記商品の購入の認証を行う購入認証部と、前記購入希望者の情報端末からの要求を契機に、決済サーバに対する前記商品の決済代行を認証する決済代行認証部と、前記購入希望者の情報端末からの要求を契機に、前記商品の配送の認証を行う配送認証部と、前記購入認証ステップ、前記決済ステップ及び前記配送認証ステップが完了した後に行われ、前記管理サーバは、外部の端末に対し、前記購入希望者の希望送付先情報に基づく宛先へ前記商品の出荷を出力する出荷指示部と、を備え、前記購入希望者の情報端末における操作を契機に、前記購入認証、前記決済代行認証及び前記配送認証が行われることを特徴とする。
【発明の効果】
【００１２】
本発明によれば、出店業者や物流業者にとっても負担の少ない販売支援システム、販売支援装置及び販売支援プログラムを提供することができる。
【図面の簡単な説明】
【００１３】
【図１】販売支援システムのシステム構成図である。
【図２】管理サーバのハードウェア構成図である。
【図３】販売支援装置の機能ブロック図である。
【図４】販売支援システムにおいて用いられるデータのデータ構造を示す説明図である。
【図５】販売支援システムのフローチャートである。
【図６】販売支援システムのフローチャートである。
【図７】販売支援システムにおいて用いられるデータのデータ構造を示す説明図である。
【図８】販売支援システムのシステム構成図である。
【図９】販売支援システムのフローチャートである。
【図１０】販売支援システムにおいて用いられるデータのデータ構造を示す説明図である。
【図１１】販売支援システムのフローチャートである。
【発明を実施するための形態】
【００１４】
＜第１実施形態＞
図１に示すように、販売支援システム２は、商品Ｐを手元に所有する商品所有者の情報端末１０と、消費者の情報端末２０と、消費者に対し商品Ｐの宣伝を行う広告配信サーバ３０と、管理サーバ４０と、各情報を記憶するデータベースサーバ（以下、ＤＢサーバと称する）５０と、情報端末１０〜２０及び各サーバ３０〜５０との間の相互通信を可能にする通信回線８０と、を備える。
【００１５】
商品所有者の情報端末１０は、商品所有者の操作に従って、所定の要求信号等を管理サーバ４０等へ送信するとともに、所定の演算結果を管理サーバ４０等から受信するものであり、デスクトップＰＣのような据置型端末や、タブレットＰＣやスマートフォン等の携帯端末などがある。
【００１６】
消費者の情報端末２０は、消費者の操作に従って、所定の要求信号等を管理サーバ４０等へ送信するとともに、所定の演算結果を管理サーバ４０等から受信するものであり、デスクトップＰＣのような据置型端末や、タブレットＰＣやスマートフォン等の携帯端末などがある。
【００１７】
広告配信サーバ３０は、管理サーバ４０等からの要求に応じて所定の演算処理を行い、多数の消費者の情報端末２０に対し、所定の商品に関する広告を配信するものである。
【００１８】
管理サーバ４０は、通信販売支援サービスを提供するものであり、端末１０〜２０や、各サーバ３０、５０からの要求に応じて所定の演算処理を行い、所定の演算結果を要求元へ送信する。ＤＢサーバ５０は、管理サーバ４０からの要求に応じて所定の演算処理を行い、所定の演算結果を要求元へ送信する。なお、ＤＢサーバ５０は、管理サーバ４０と一体となっていてもよい。
【００１９】
図２に示すように、管理サーバ４０は、ＣＰＵ４１と、ＲＡＭ４２と、ＲＯＭ４３と、外部記憶装置４４と、入力装置４５と、出力装置４６と、入出力インターフェース４８と、バス４９と、を備えている。
【００２０】
ＣＰＵ４１は、いわゆる中央演算処理装置であり、各種プログラムが実行されて各種サービスを実現する。ＲＡＭ４２は、いわゆるＲＡＭ（ランダム・アクセス・メモリ）であり、ＣＰＵ４１の作業領域として使用される。ＲＯＭ４３は、いわゆるＲＯＭ（リード・オンリー・メモリ）であり、ＣＰＵ４１で実行される基本ＯＳや各種プログラム（例えば、通信販売支援プログラム）を記憶する。
【００２１】
外部記憶装置４４は、各種プログラムの演算結果などを記憶するものであり、内蔵型の記憶装置（例えば、ハードディスクドライブ）、着脱可能な記憶装置（例えば、メモリーカード等）がある。なお、外部記憶装置４４としては、ＮＡＳ（ネットワークアタッチストレージ）のように、通信回線８０経由で接続されるものでもよい。
【００２２】
入力装置４５は、入力キーやキーボード、マウスであり、各種情報を入力する。出力装置４６は、ディスプレイであり、各種動作状態を表示する。
【００２３】
入出力インターフェース４８は、通信回線８０（図１）を介した通信を可能にするものである。バス４９は、ＣＰＵ４１、ＲＡＭ４２、ＲＯＭ４３、入力装置４５、出力装置４６、入出力インターフェース４８などを一体的に接続して通信を行う配線となる。
【００２４】
ＲＯＭ４３に記憶された基本ＯＳや各種プログラムがＣＰＵ４１によって実行されると、図３に示すように、管理サーバ４０は、販売支援装置として機能する。
【００２５】
販売支援装置（管理サーバ４０）は、商品Ｐの各情報の登録を受け付ける登録受付部４０Ａと、商品Ｐの各情報に付与するための商品識別子を生成する商品識別子生成部４０Ｂと、商品識別子が関連付けられた状態で商品Ｐの各情報をＤＢサーバ５０に記憶する商品登録部４０Ｃと、広告サーバ３０に対し商品Ｐの広告を依頼する広告依頼部４０Ｅと、消費者の情報端末２０から発信された商品Ｐの購入希望情報を受け付ける購入受付部４０Ｇと、購入希望情報に基づいて商品Ｐの決済を行う決済部４０Ｈと、購入希望情報に基づいて商品Ｐの出荷指示情報を生成する出荷指示情報生成部４０Ｌと、出荷指示情報を発信する出荷指示部４０Ｍと、して機能する。
【００２６】
登録受付部４０Ａは、商品所有者の情報端末１０から出力された商品Ｐの商品情報１１０を受け付けるものである。図４（Ａ）に示すように、商品情報１１０は、商品Ｐの商品販売情報１１１（商品名、商品の概要、商品の販売価格、送料等）と、商品Ｐの商品所在地情報１１２（例えば、商品所有者の住所や、商品Ｐの商品所有者による保管場所）と、商品所有者の連絡先情報１１３と、その他必要な情報と、を含む。商品情報１１０は、商品所有者が販売を希望する商品Ｐについての情報であり、商品所有者の自由な意思で選択できるものである。商品情報１１０は、商品所有者の情報端末１０の操作を介して入力される。
【００２７】
商品識別子生成部４０Ｂは、登録受付部４０Ａで受け付けられた商品情報１１０について、固有の識別子（商品識別子１２０）を生成する。
【００２８】
商品登録部４０Ｃは、商品識別子１２０が関連付けられた商品情報１１０をＤＢサーバ５０に対して、記憶を要求する。当該商品情報１１０がＤＢサーバ５０に記憶されると（図４（Ｂ））、商品登録が完了する。
【００２９】
広告依頼部４０Ｅは、広告サーバ３０に対し、ＤＢサーバ５０に登録された商品Ｐの広告の依頼を行うものであり、広告サーバ３０に対して広告情報２００を送信する。図４（Ｃ）に示すように、広告情報２００としては、商品販売情報１１１、商品識別子１２０、商品販売情報１１１、宣伝を行いたいターゲット層を示すターゲット層情報２１０、消費者に閲覧させる内容である宣伝情報２２０、及び管理サーバ４０にアクセスするための情報（例えば、インターネット上のアドレス等）と、その他必要な情報と、を含む。なお、本システム２におけるターゲット層情報２１０や宣伝情報２２０の入力は、広告業者が広告サーバ３０を介して行われてもよいし、商品所有者の情報端末１０を介して行われてもよい。
【００３０】
購入受付部４０Ｇは、消費者の情報端末２０から送信された購入希望情報３００を受け付ける。図４（Ｄ）に示すように、購入希望情報３００には、購入希望の商品Ｐの商品識別子１２０、購入希望者氏名情報３１０（購入者氏名情報）、購入希望者の口座番号情報３２０（決済情報）、商品Ｐの送付先情報３３０（希望送付先情報）等が含まれる。なお、購入希望者氏名情報３１０（購入者氏名情報）、購入希望者の口座番号情報３２０（決済情報）、商品Ｐの送付先情報３３０（希望送付先情報）は、消費者の情報端末２０の外部記憶装置４４にあらかじめ記憶されている情報であることが好ましい。そして、消費者の情報端末２０における購入希望操作を契機に、消費者の情報端末２０にインストールされているアプリケーションによって、購入希望情報３００が生成されることが好ましい。
【００３１】
決済部４０Ｈは、ＤＢサーバ５０の記憶装置を参照し、購入希望情報３００に含まれる商品識別子１２０から商品Ｐの販売価格や送料を読み取る。さらに、決済部４０Ｈは、商品Ｐの販売価格や送料、及び購入希望情報に含まれる購入希望者の口座番号情報３２０（決済情報）に基づいて決済を行う。なお、商品所有者への入金は、この決済を契機に行ってもよいし、納品（図５Ｓ２８０）を契機に行ってもよい。
【００３２】
出荷指示情報生成部４０Ｌは、購入希望情報３００に含まれる商品識別子１２０に基づき、ＤＢサーバ５０の記憶装置から商品Ｐの所在地情報１１２を読み取る。また、出荷指示情報生成部４０Ｌは、購入希望情報３００から、購入希望者氏名情報３１０（購入者氏名情報））や購入希望者氏名情報３１０（購入者氏名情報）を読み取る。さらに、出荷指示情報生成部４０Ｌは、商品Ｐの所在地情報１１２と、商品Ｐの送付先情報３３０（希望送付先情報）と、その他必要な情報と、を関連付けて、出荷指示情報４００を生成する（図４（Ｅ））出荷指示情報４００には、少なくとも「商品Ｐを地点Ａ（商品Ｐの所在地情報）から運び、地点Ｂ（希望送付先情報）にいる受取人氏名（購入者氏名情報）へ商品Ｐ（商品識別子１２０）を渡す」旨の情報が含まれる。
【００３３】
出荷指示部４０Ｍは、出荷指示情報を商品Ｐの商品所有者の情報端末１０に送信する。
【００３４】
図示は省略するが、決済サーバ６０は、管理サーバ４０と同様にして、ＣＰＵと、ＲＡＭと、ＲＯＭと、外部記憶装置と、入力装置と、出力装置と、入出力インターフェースと、バスと、を備えている。
【００３５】
次に、図５に示すように、販売支援システム２の動作を説明する。
【００３６】
商品所有者の操作によって、商品所有者の情報端末１０は、管理サーバ４０に対し、商品Ｐの商品情報１１０の登録を申し込むと、管理サーバ４０は、商品所有者の情報端末１０から、商品Ｐの販売情報１１１（商品名、商品の概要、商品の販売価格、送料等）と、商品Ｐの所在地情報１１２（例えば、商品所有者の住所や、商品Ｐの保管場所）と、商品所有者の連絡先情報１１３等を受け付ける（Ｓ１１０）。
【００３７】
次に、管理サーバ４０は、商品識別子生成部４０Ｂは、登録受付部４０Ａで受け付けられた商品情報１１０について、固有の識別子（商品識別子１２０）を生成する（Ｓ１２０）。このとき、商品識別子１２０は、登録受付部４０Ａで受け付けられた商品情報１１０に対し関連付けられている（図４（Ａ））。
【００３８】
その後、管理サーバ４０は、商品識別子１２０が関連付けられた商品情報１１０をＤＢサーバ５０に対して、記憶を要求する。ＤＢサーバ５０は、商品識別子１２０が関連付けられた商品情報１１０を記憶装置に記憶する（図４（Ｂ））。こうして、商品登録が完了する（Ｓ１３０）。
【００３９】
管理サーバ４０は、広告サーバ３０に対し、ＤＢサーバ５０に登録された商品Ｐの広告の要求を行うために、広告情報２００（図４（Ｃ））を生成する。その後、管理サーバ４０は、広告サーバ３０に対して広告情報２００を送信する（Ｓ１４０）。広告サーバ３０は、広告情報２００に基づき、多数の消費者の情報端末２０に対して広告を配信する（Ｓ１５０）。
【００４０】
消費者の情報端末２０は、広告情報２００に基づき、管理サーバ４０にアクセスする（Ｓ２１０）。管理サーバ４０は、消費者の情報端末２０から送信された購入希望情報３００を受け付ける（Ｓ２２０）。
【００４１】
管理サーバ４０は、購入希望情報３００（図４（Ｄ））に含まれる商品識別子１２０と一致する情報をＤＢサーバ５０の記憶装置から抽出する。その後、管理サーバ４０は、抽出した商品識別子１２０や商品販売情報１１１が、購入希望情報３００に含まれる商品識別子１２０や商品販売情報１１１と一致するか否かを判定する。当該情報が一致する場合には、サーバ４０は、商品Ｐの販売価格や送料、及び購入希望情報に含まれる購入希望者の口座番号２２０（決済情報）に基づいて決済を行う（Ｓ２３０）。
【００４２】
管理サーバ４０は、購入希望情報３００に含まれる商品識別子１２０に基づき、ＤＢサーバ５０の記憶装置から商品Ｐの所在地情報１１２を読み取る。また、管理サーバ４０は、購入希望情報３００から、購入希望の氏名２１０（購入者氏名情報）や商品Ｐの送付先２３０（希望送付先情報）を読み取る。さらに、管理サーバ４０は、商品Ｐの所在地情報１１２と、商品Ｐの送付先２３０（希望送付先情報）と、その他必要な情報と、を関連付けて、出荷指示情報４００（図４（Ｅ））を生成する（Ｓ２４０）。
【００４３】
管理サーバ４０は、出荷指示情報４００を商品Ｐの商品所有者の情報端末１０に送信する（Ｓ２５０）。出荷指示情報４００を受信した商品所有者の情報端末１０は、当該商品Ｐの出荷の準備（Ｓ２６０）を行い、その後、商品Ｐの出荷を行う（Ｓ２７０）。
【００４４】
このように、販売支援システム２によれば、商品Ｐの受注を契機に、商品Ｐの出荷指示情報が生成する。そして、この出荷指示情報は、商品所有者の自由意思によって設定された商品所在地情報１１２と、消費者の情報端末２０に設定された購入希望者氏名情報３１０及び商品送付先情報３３０と、を含む。このため、受注後に必要な商品Ｐの物流は、商品所有者と消費者との間で直接行われる。
【００４５】
したがって、本発明によれば、商品Ｐを手元に所有する商品所有者は、プラットフォーマが指定する倉庫に収める必要もなくなるばかりか、プラットフォーマが指定する倉庫へ在庫の配送をする手間を省くこともできる。結果、商品Ｐの在庫の低減のみならず、商品Ｐの移動距離の最小限化、そして、商品Ｐの物流コストの抑制が可能となる。
【００４６】
上記実施形態では、購入希望情報ステップＳ２１０において、消費者の情報端末２０から出力された購入希望情報が管理サーバ４０へ直接送信されたが、本発明はこれに限られない。例えば、消費者の情報端末２０から出力された購入希望情報が、広告サーバ３０を介して、管理サーバ４０へ送信されてもよい。
【００４７】
上記実施形態では、出荷指示ステップＳ２５０において、出荷指示情報４００を商品Ｐの商品所有者の情報端末１０に送信したが、本発明はこれに限られず、出荷指示情報４００を物流業者の情報端末に送信してもよい。この場合には、物流業者の情報端末が物流業者の情報端末を受信したことを契機に、物流業者の情報端末が、商品Ｐの商品所有者の情報端末１０へ集荷日時の情報を送信し、当該日時に集荷を行ない、出荷ステップＳ２７０及び納品ステップ（Ｓ２８０）を行ってもよい。
【００４８】
以降、上記実施形態とは別の実施形態を説明するが、上記実施形態と異なる部分の説明に留め、上記実施形態と同一の部分には同一の符号を付し、その詳細の説明を省略する。
【００４９】
＜第２実施形態＞
上記実施形態では、商品Ｐの受注は、広告情報２００の受信を契機に行われたが、本発明はこれに限られない。例えば、店先やショーウインドーなどで展示されている商品や、ドラマや映画等で用いられている商品について、商品の識別子を表示しておいてもよい。この場合には、消費者の情報端末２０が、表示された商品の識別子を入力し、これを管理サーバ４０へ送信してもよい。
【００５０】
この場合のフローを図６に、データ構造を図７に示す。
【００５１】
商品所有者の操作によって、商品所有者の情報端末１０は、管理サーバ４０に対し、商品Ｐの商品情報１１０の登録を申し込むと、管理サーバ４０は、商品所有者の情報端末１０から、商品Ｐの販売情報１１１と、商品Ｐの所在地情報１１２と、商品所有者の連絡先情報１１３と、商品Ｐの表示用識別子１１４等を含む商品情報１１０（図７（Ａ））を受け付ける（Ｓ３１０）。商品Ｐの表示用識別子１１４としては、所定のＩＤ画像データが好ましい。所定のＩＤ画像データとしては、例えば、商品Ｐに表示された二次元バーコード（例えば、ＱＲコード（登録商標））や、ＪＡＮコード等のバーコード等がある。
【００５２】
二次元バーコードやバーコードには、商品Ｐの販売情報１１１と、管理サーバ４０にアクセスするための情報（例えば、インターネット上のアドレス等）と、その他必要な情報と、関連付けられる。
【００５３】
次に、管理サーバ４０は、登録受付部４０Ａで受け付けられた商品情報１１０について、固有の識別子（商品識別子１２０）を生成する（Ｓ３２０）。このとき、商品識別子１２０は、登録受付部４０Ａで受け付けられた商品情報１１０に対し関連付けられている。
【００５４】
その後、管理サーバ４０は、商品識別子１２０が関連付けられた商品情報１１０等をＤＢサーバ５０に対して、記憶を要求する。ＤＢサーバ５０は、商品識別子１２０が関連付けられた商品情報１１０を記憶装置に記憶する（図７（Ｂ））。こうして、商品登録が完了する（Ｓ３３０）。
【００５５】
商品所有者は、表示用識別子１１４が付された商品Ｐの見本を用意して、ショーウインドーに展示する、あるいは、ドラマや映画等の小道具として提供する（Ｓ３４５）。
【００５６】
商品Ｐを購入したいと思う消費者は、商品Ｐの表示用識別子１１４を消費者の情報端末２０を介して入力する。商品Ｐの表示用識別子１１４の入力方法は、消費者の情報端末２０にインストールされている二次元バーコードやバーコード等の読取アプリケーションを用いればよい。
【００５７】
消費者の情報端末２０が、二次元バーコード等の読取を行うと、二次元バーコード等に関連付けられた管理サーバ４０へアクセスし、商品Ｐの販売情報１１１を表示する。そして、消費者の情報端末２０の操作により、消費者の情報端末２０から購入希望情報３００（図７（Ｃ））が出力されると（Ｓ４１５）、管理サーバ４０は、消費者の情報端末２０から送信された購入希望情報３００を受け付ける（Ｓ４２０）。
【００５８】
その後は、決済ステップＳ２３０〜納品ステップ２８０は、上記実施形態と同様にして行えばよい。
【００５９】
上記実施形態において、表示用識別子１１４としては、当該商品Ｐの写真でもよい。この場合には、管理サーバ４０にアクセスするための情報（例えば、インターネット上のアドレス等）をあらかじめ、消費者の情報端末２０が保持するか、当該商品Ｐの近傍に表示されていることが好ましい。
【００６０】
＜第３実施形態＞
上記実施形態の変形例として、消費者及び商品保有者にとって簡便なショッピングを提供可能な販売支援システム２について説明する。
【００６１】
図８に示すように、販売支援システム２は、商品所有者の情報端末１０と、消費者の情報端末２０と、管理サーバ４０と、ＤＢサーバ５０と、商品保有者と消費者との間の決済を行う決済サーバ６０と、情報端末１０〜２０及び各サーバ４０〜６０との間の相互通信を可能にする通信回線８０と、を備える。
【００６２】
決済サーバ６０は、販売支援サービスを提供するものであり、端末１０〜２０や、各サーバ４０、５０からの要求に応じて所定の演算処理を行い、所定の演算結果を要求元へ送信する。各サーバ４０、５０とは別体となっていることが好ましい。
【００６３】
次に、図９〜１０を用いて、販売支援システム２の動作を説明する。
【００６４】
商品所有者の操作によって、商品所有者の情報端末１０は、管理サーバ４０に対し、商品Ｐの商品情報１１０の登録を申し込むと、登録受付部４０Ａは、商品所有者の情報端末１０に対して、商品Ｐの販売情報１１１と、商品Ｐの所在地情報１１２と、商品所有者の連絡先情報１１３等の出力を要求する。これに対し、商品所有者の情報端末１０は、管理サーバ４０に対し、商品Ｐの販売情報１１１と、商品Ｐの所在地情報１１２と、商品所有者の連絡先情報１１３等（図１０（Ａ））を出力する。登録受付部４０Ａは、商品Ｐの販売情報１１１と、商品Ｐの所在地情報１１２と、商品所有者の連絡先情報１１３等を受け付ける（Ｓ５１０）。
【００６５】
次に、管理サーバ４０の商品識別子生成部４０Ｂは、登録受付部４０Ａで受け付けられた商品情報１１０について、商品識別子１２０を生成する（Ｓ５２０）。商品識別子生成部４０Ｂは、登録受付部４０Ａで受け付けられた商品情報１１０に対し商品識別子１２０を関連付ける。さらに、管理サーバ４０は、商品Ｐの表示用識別子１１４を生成し、商品Ｐの表示用識別子１１４を商品識別子１２０と関連付ける。
【００６６】
その後、管理サーバ４０の商品登録部４０Ｃは、ＤＢサーバ５０に対して、商品識別子１２０が関連付けられた商品情報１１０等の記憶を要求する。ＤＢサーバ５０は、商品識別子１２０が関連付けられた商品情報１１０を記憶装置に記憶する（図１０（Ｂ））。こうして、商品登録が完了する（Ｓ５３０）。
【００６７】
その後、商品登録部４０Ｃは、商品Ｐの表示用識別子１１４を商品所有者の情報端末１０に出力する（Ｓ５４０）。商品所有者は、商品所有者の情報端末１０を介して、商品Ｐの表示用識別子１１４を出力し、表示する（Ｓ５５０）。商品Ｐの表示用識別子１１４の表示の方法は、商品Ｐの表示用識別子１１４が印刷されたシール２０２（図１０（Ｃ））を商品Ｐに貼り付けてもよいし、商品Ｐの表示用識別子１１４が印刷された札を商品Ｐの近傍に配置してもよい。商品所有者は、表示用識別子１１４が表示された商品Ｐを、店頭や店内に見本として配置する（Ｓ５６０）。
【００６８】
店に訪れた消費者は、見本として配置された商品Ｐのうち購入したいと思うものの表示用識別子１１４に対し消費者の情報端末２０をかざし、所定の操作をおこなう。その操作を介し、消費者の情報端末２０は、表示用識別子１１４を読み取る（Ｓ６１０）。商品Ｐの表示用識別子１１４の読取方法は、消費者の情報端末２０にインストールされている二次元バーコードやバーコード等の読取アプリケーションを用いればよい。
【００６９】
消費者の情報端末２０が表示用識別子１１４の読取を行うと、消費者の情報端末２０は、表示用識別子１１４に関連付けられたインターネット上のアドレスを介して、管理サーバ４０へアクセスする（Ｓ６２０）するとともに、自身に記憶された購入希望情報３００（図１０（Ｄ））を管理サーバ４０に対して出力する（Ｓ６３０）。管理サーバ４０の購入受付部４０Ｇは、消費者の情報端末２０に対し、所定の画面を表示するための情報を出力する（Ｓ６４０）。消費者の情報端末２０は、この情報を受信すると所定の画面を表示する（Ｓ６４５）。この画面には、商品情報１１０、当該商品Ｐの購入の申し込みを受け付けるための購入ボタンの他、購入希望情報３００に基づく購入希望者の口座番号２２０（決済情報）、当該購入に関する決済を外部の決済サーバ６０を経由して行う旨を表示する文章、購入希望情報３００に基づく購入希望の氏名２１０（購入者氏名情報）や商品Ｐの送付先２３０（希望送付先情報）が表示される。このため、当該画面の表示により、購入の意思決定を確認する購入認証ステップと、決済を外部の決済サーバ６０を経由して行う決済代行認証ステップと、商品Ｐの配送先を認証する配送認証ステップとに関する各認証の問い合わせが行われる（Ｓ６４７）。そして、当該画面中の購入ボタンによる認証許可の操作（Ｓ６５０）を契機に、管理サーバ４０は、消費者の情報端末２０からの認証許可を受け付ける（Ｓ６６０）。
【００７０】
次に、決済部４０Ｈは、当該認証結果に基づき、当該購入に関する決済を外部の決済サーバ６０に対して行う（Ｓ６７０）。決済サーバ７０が決済を完了すると（Ｓ６８０）、決済サーバ６０は、決済完了の通知を管理サーバ４０へ出力する。
【００７１】
決済サーバ７０より決済完了の通知を受けた後、出荷指示情報生成部４０Ｌは、商品Ｐの所在地情報１１２と、商品Ｐの送付先２３０（希望送付先情報）と、その他必要な情報と、を関連付けて、出荷指示情報４００（図１０（Ｅ））を生成する（Ｓ６９０）。
【００７２】
出荷指示部４０Ｍは、出荷指示情報４００を商品Ｐの商品所有者の情報端末１０に送信する（Ｓ７００）。出荷指示情報４００を受信した商品所有者の情報端末１０は、商品所有者に対し当該商品Ｐの出荷の準備を通知する（Ｓ７１０）。商品所有者は、商品所有者の情報端末１０を介して、商品Ｐの出荷を行う（Ｓ７２０）。
【００７３】
その後、購入受付部４０Ｇは、消費者の情報端末２０から受信した購入希望情報３００を、管理サーバ４０やＤＢサーバ５０に保存している場合には、当該サーバの記憶手段から当該購入希望情報３００を消去することが好ましい。
【００７４】
上記実施形態によれば、消費者の情報端末１０における操作を契機に、購入認証ステップと、決済代行認証ステップと、配送認証ステップとが行われるため、消費者の情報端末１０は、購入の都度、決済情報、購入者氏名情報及び希望送付先情報の入力の手間を省くことができる。
【００７５】
これらの情報入力を省略するために、商品保有者側が、消費者側に対し会員登録を促し、固有の識別子に決済情報、購入者氏名情報及び希望送付先情報を関連付ける方法もある。しかし、この場合には、管理サーバ４０、すなわち商品保有者側が消費者の情報を管理する義務が発生するため、商品保有者の管理負担が増してしまう。本実施形態では、消費者の情報端末１０に記憶された決済情報、購入者氏名情報及び希望送付先情報を、管理サーバ４０が保持しないため、情報管理義務が発生しない。したがって、個人商店などの小規模の事業者も導入しやすいものとなる。
【００７６】
また、商品保有者にとっては、店頭には見本だけを並べ、商品は、倉庫に格納できるため、店頭における在庫保管スペースを省くことができる。結果、店頭には品ぞろえのよい商品を展示することができるとともに、店舗の単位面積当たりの売上を向上しやすくなる。したがって、上記実施形態によれば、比較的狭い空きスペースにおいて商品を展示する等、従前では使用しにくい狭小スペースの有効活用が可能となる。さらに、「家具屋」「家電屋」といった商品の品種別タテ割り店舗ではなく、多種多様な商品の展示が可能となるため、消費者の購買欲向上を高めることができる。たとえば「家具」「家電」「書籍」「衣服」「部屋のレイアウト提案」や「リノベーション提案」などを、一つの空間で展示し、販売することが可能となる。
【００７７】
消費者にとっては、品ぞろえのよい店舗空間において、商品の現物を手に取って確認することが可能となる。また、購入したい場合には、商品識別子を読み取ることによって、当該商品の販売サイトへアクセスすることできる。さらに、販売サイトにおいて、決済から配送までの操作は、１つの操作で可能となるため、手軽に買い物を楽しむことができる。
【００７８】
さらに、現金決済が不要となるため、商品保有者にとってはレジスターを置かずに済むため、スペースの効率化を図ることができるとともに、消費者にとっては、手軽に買い物を楽しむことができる。
【００７９】
上記実施形態は、小規模の事業者が導入しやすい販売支援システムであるため、地方の事業者が、東京などの消費地において展示を行うことが可能となる。このため、地方でしか流通しないオリジナル商品を、消費地において品ぞろえ良く展示することができる。結果、地方の事業者のオリジナル商品の見本展示販売が遠隔地において可能となる。
【００８０】
上記実施形態では、商品保有者の取扱商品を登録したが、本発明はこれらに限られず、同一の商品保有者が複数の取扱商品を登録してもよいし、複数の商品保有者がそれぞれの取扱商品を登録してもよい。また、上記実施形態では、商品購入希望者として、消費者のケースを説明したが本発明はこれに限られず、商品購入希望者に卸業者を含めてもよい。
【００８１】
上記実施形態では、消費者の情報端末２０が、表示用識別子１１４の読取を行うと、表示用識別子１１４に関連付けられたインターネット上のアドレスを介して、管理サーバ４０へアクセスする（Ｓ６２０）するとともに、自身に記憶された購入希望情報３００を管理サーバ４０に対して自動で出力する（Ｓ６３０）としたが、本発明はこれに限られない。例えば、管理サーバ４０へアクセスした（Ｓ６２０）後、消費者の情報端末２０は、管理サーバ４０に対する購入希望情報３００の出力の許可を求める画面を表示してもよい。そして、消費者の情報端末２０において出力許可を与える操作を契機に、消費者の情報端末２０が購入希望情報３００を管理サーバ４０に対して出力してもよい。
【００８２】
上記実施形態では、管理サーバ４０に対する購入希望情報３００の出力の許可を、各認証の問い合わせ（Ｓ６４７）の前に行ったが、本発明はこれに限られない。例えば、図１１に示すフローで行ってもよい。
【００８３】
店に訪れた消費者は、見本として配置された商品Ｐのうち購入したいと思うものの表示用識別子１１４に対し消費者の情報端末２０をかざし、所定の操作をおこなう。その操作を介し、消費者の情報端末２０は、表示用識別子１１４を読み取る（Ｓ８１０）。次に、消費者の情報端末２０が、表示用識別子１１４の読取を行うと、表示用識別子１１４に関連付けられたインターネット上のアドレスを介して、管理サーバ４０へアクセスする（Ｓ８２０）。その後、管理サーバ４０は、消費者の情報端末２０に対し、所定の画面を表示するための情報を出力する（Ｓ８４０）。消費者の情報端末２０は、この情報を受信すると所定の画像Ｇ１を表示する（Ｓ８４５）とともに、購入希望情報３００が表示された画像Ｇ２を自身の画面に出力する（Ｓ８４７）。ここで、画像Ｇ１には、当該商品Ｐの購入の申し込みを受け付けるための購入ボタンの他、購入希望者の口座番号２２０（決済情報）、決済サーバ６０を経由して決済を行う旨を表示する文章、購入希望情報３００に基づく購入希望者の氏名２１０（購入者氏名情報）や商品Ｐの送付先２３０（希望送付先情報）が含まれる、画像Ｇ２には、商品Ｐの販売情報１１１が含まれる。消費者の情報端末２０の画面において、画像Ｇ１と画像２とが並列に表示されてもよいし、一方が他方に対してオーバレイ表示されていてもよい。すなわち、当該画面の表示により、管理サーバ４０から消費者の情報端末２０に対する各認証の問い合わせ（Ｓ８４７）が行われる。当該認証には、購入希望情報３００の出力の認証、購入の意思決定を確認する購入認証と、決済を外部の決済サーバ６０を経由して行う決済代行認証と、商品Ｐの配送先を認証する配送認証とが含まれる。
【００８４】
そして、消費者の情報端末２０における当該画面中の購入ボタンによる認証許可の操作（Ｓ８５０）を契機に、消費者の情報端末２０は管理サーバ４０に対して購入希望情報３００の出力を行う（Ｓ８５２）。管理サーバ４０は、消費者の情報端末２０から認証許可を受け付ける（Ｓ８６０）。すなわち、消費者の情報端末２０における当該画面中の購入ボタンの操作（Ｓ８５０）を契機に、消費者の情報端末２０は、購入希望情報３００の出力（Ｓ８５２）とともに、購入認証、決済代行認証及び配送認証とを同時に行う。これにより、消費者の操作の手間が減るとともに、管理サーバ４０に対する購入希望情報３００の出力を最低限に抑えることが得きる。このため、消費者も安心して表示用識別子１１４に関連付けられたインターネット上のアドレスを介して、管理サーバ４０へアクセスすることができるとともに、管理サーバ４０側も余計な個人情報の受信を行わずに済む。
【００８５】
なお、上記実施形態では、商品Ｐに付与された表示用識別子１１４を読取り、表示用識別子１１４に関連付けられたインターネット上のアドレスを介して、管理サーバ４０へアクセスしたが、本発明はこれに限られない。表示用識別子１１４として商品Ｐのインターネット広告を用い、当該広告をクリックした場合に、当該広告に関連付けられたインターネット上のアドレスを介して、管理サーバ４０へアクセスしてもよい。
【００８６】
本発明は、手荷物を増やしたくない消費者に適している。手荷物を増やしたくない場合としては、旅行中や出張中等のシチュエーションや、購入したい商品が持ち帰られないほどに大きなもの（家具や家電等）や、持ち帰る体力が少ない者（例えば、高齢者や障碍者等）等がある。また、店頭にある商品の試着や試用等をしたいものの、当該商品の購入には店頭商品ではなく新品を入手したい場合にも適している。さらに、贈答品等、消費者自身が持ち帰る必要のない場合にも適用できる。
【００８７】
上記実施形態では、各ステップをコンピュータで行ったが、本発明はこれに限られず、その一部を人が行ってもよい。
【００８８】
本発明は、上記実施形態に限られず、以下の内容も含まれる。
【００８９】
本発明の販売支援システムは、商品を手元に所有する商品所有者の情報端末から送信された前記商品の販売情報及び前記商品の所在地情報を受け付ける商品受付ステップと、  前記商品の識別子を生成する商品識別子生成ステップと、前記商品の販売情報及び前記商品の所在地情報に対して関連付けられた前記商品の識別子を記憶装置に記憶する商品登録ステップと、当該商品の広告の受信を契機に購入希望者の情報端末から送信された購入希望情報を受け付ける購入受付ステップと、前記購入希望情報に基づいて前記商品の購入についての決済を行う決済ステップと、前記購入希望情報に基づいて前記商品の出荷指示情報を生成する出荷指示情報生成ステップと、前記出荷指示情報を出力する出荷指示ステップと、を備え、前記商品の所在地情報は、前記商品所有者の意思によって自由に設定されるものであり、前記購入希望情報は、前記商品の識別子と、前記購入希望者の決済情報と、前記購入希望者の希望送付先情報と、を含み、前記商品の所在地情報は、前記商品所有者の所在地の情報又は前記商品所有者の情報端末より入力された情報であって、前記出荷指示情報は、前記商品の所在地情報に基づく所在地から、前記購入希望者の希望送付先情報に基づく所在地へ、前記商品を送付する情報が含まれていることを特徴とする。
【００９０】
広告サーバに対し、前記商品の識別子を送信するとともに、複数の情報端末に対し前記商品の広告の出力を依頼する広告依頼ステップを備えることが好ましい。
【００９１】
本発明の販売支援システムは、商品を手元に所有する商品所有者の情報端末から送信された前記商品の識別子、前記商品の販売情報及び前記商品の所在地情報を受け付ける商品受付ステップと、前記商品の販売情報及び前記商品の所在地情報に対して関連付けられた前記商品の識別子を記憶装置に記憶する商品登録ステップと、  購入希望者の情報端末から送信された購入希望情報を受け付ける購入受付ステップと、受け付けた前記購入希望情報から購入希望商品の識別情報を読み込むとともに、当該購入希望商品の識別情報が、前記記憶装置に記憶された前記商品の識別情報と一致するか否かを判定する判定ステップと、前記購入希望情報に基づいて前記商品の購入についての決済を行う決済ステップと、前記購入希望情報に基づいて前記商品に対する出荷指示情報を生成する出荷指示情報生成ステップと、前記出荷指示情報を出力する出荷指示ステップと、を備え、前記商品の所在地情報は、前記商品所有者の意思によって自由に設定されるものであり、前記購入希望情報は、前記商品の識別子と、前記購入希望者の決済情報と、前記購入希望者の希望送付先情報と、を含み、前記商品の所在地情報は、前記商品所有者の所在地の情報又は前記商品所有者の情報端末より入力された情報であって、前記出荷指示情報は、前記商品の所在地情報に基づく所在地から、前記購入希望者の希望送付先情報に基づく所在地へ、前記商品を送付する情報が含まれていることを特徴とする。
【００９２】
前記商品の識別情報及び前記購入希望商品の識別情報は、当該商品のＩＤ画像データまたは、当該商品の写真データであることが好ましい。前記出荷指示ステップでは、前記出荷指示情報を、物流業者又は前記商品所有者の情報端末へ送信することが好ましい。
【００９３】
本発明の販売支援プログラムは、商品を手元に所有する商品所有者の情報端末から送信された前記商品の販売情報及び前記商品の所在地情報を受け付ける商品受付部と、前記商品の識別子を生成する商品識別子生成部と、前記商品の販売情報及び前記商品の所在地情報に対して関連付けられた前記商品の識別子を記憶装置に記憶する商品登録部と、当該商品の広告の受信を契機に購入希望者の情報端末から送信された購入希望情報を受け付ける購入受付部と、前記購入希望情報に基づいて前記商品の購入についての決済を行う決済部と、前記購入希望情報に基づいて前記商品の出荷指示情報を生成する出荷指示情報生成部と、前記出荷指示情報を出力する出荷指示部と、を備え、前記商品の所在地情報は、前記商品所有者の意思によって自由に設定されるものであり、前記購入希望情報は、前記商品の識別子と、前記購入希望者の決済情報と、前記購入希望者の希望送付先情報と、を含み、前記商品の所在地情報は、前記商品所有者の所在地の情報又は前記商品所有者の情報端末より入力された情報であって、前記出荷指示情報は、前記商品の所在地情報に基づく所在地から、前記購入希望者の希望送付先情報に基づく所在地へ、前記商品を送付する情報が含まれていることを特徴とする。
【００９４】
本発明の販売支援プログラムは、商品を手元に所有する商品所有者の情報端末から送信された前記商品の識別子、前記商品の販売情報及び前記商品の所在地情報を受け付ける商品受付部と、前記商品の販売情報及び前記商品の所在地情報に対して関連付けられた前記商品の識別子を記憶装置に記憶する商品登録部と、購入希望者の情報端末から送信された購入希望情報を受け付ける購入受付部と、受け付けた前記購入希望情報から購入希望商品の識別情報を読み込むとともに、当該購入希望商品の識別情報が、前記記憶装置に記憶された前記商品の識別情報と一致するか否かを判定する判定部と、前記購入希望情報に基づいて前記商品の購入についての決済を行う決済部と、前記購入希望情報に基づいて前記商品に対する出荷指示情報を生成する出荷指示情報生成部と、前記出荷指示情報を出力する出荷指示部と、を備え、前記商品の所在地情報は、前記商品所有者の意思によって自由に設定されるものであり、前記購入希望情報は、前記商品の識別子と、前記購入希望者の決済情報と、前記購入希望者の希望送付先情報と、を含み、前記商品の所在地情報は、前記商品所有者の所在地の情報又は前記商品所有者の情報端末より入力された情報であって、前記出荷指示情報は、前記商品の所在地情報に基づく所在地から、前記購入希望者の希望送付先情報に基づく所在地へ、前記商品を送付する情報が含まれていることを特徴とする。
【００９５】
尚、本発明は、上記した実施の形態に限定されるものではなく、本発明の要旨を逸脱しない範囲内において種々変更を加え得ることは勿論である。
【符号の説明】
【００９６】
２     販売支援システム
１０   商品所有者の情報端末
２０   消費者の情報端末
３０   広告配信サーバ
４０   管理サーバ
４０Ａ 登録受付部
４０Ｂ 商品識別子生成部
４０Ｃ 商品登録部
４０Ｅ 広告依頼部
４０Ｇ 購入受付部
４０Ｈ 決済部
４０Ｌ 出荷指示情報生成部
４０Ｍ 出荷指示部
５０   ＤＢサーバ
８０   通信回線
【図１】
2020135890.tif 000003
【図２】
2020135890.tif 000004
【図３】
2020135890.tif 000005
【図４】
2020135890.tif 000006
【図５】
2020135890.tif 000007
【図６】
2020135890.tif 000008
【図７】
2020135890.tif 000009
【図８】
2020135890.tif 000010
【図９】
2020135890.tif 000011
【図１０】
2020135890.tif 000012
【図１１】
2020135890.tif 000013